(57)【要約】  所定の撮影レートによる撮影開始後に、前記所定の撮影レートよりも遅い撮影レートで撮影されるか否かを表示部に表示する制御を行う制御部を有する表示制御装置である。図１２
2018193698.tif 000002
【特許請求の範囲】
【請求項１】
所定の撮影レートによる撮影開始後に、前記所定の撮影レートよりも遅い撮影レートで撮影されるか否かを表示部に表示する制御を行う制御部を有する
表示制御装置。
【請求項２】
前記制御部は、前記所定の撮影レートに基づく連写撮影が可能な枚数または時間に応じて、前記表示を変化させる
請求項１に記載の表示制御装置。
【請求項３】
前記制御部は、前記所定の撮影レートよりも遅い撮影レートに対応する表示箇所を基点とし、所定の範囲内で長さが変更可能なバーを前記表示部に表示する
請求項１に記載の表示制御装置。
【請求項４】
前記制御部は、前記所定の撮影レートに基づく連写撮影が可能な枚数または時間に応じて、前記バーの長さを変更する
請求項３に記載の表示制御装置。
【請求項５】
前記制御部は、前記所定の撮影レートに基づく連写撮影が可能な枚数または時間が小さくなるにつれて前記バーの長さを短くし、前記所定の撮影レートに基づく連写撮影が可能な枚数または時間が大きくなるにつれて前記バーの長さを長くする
請求項４に記載の表示制御装置。
【請求項６】
前記制御部は、前記連写撮影により取り込まれた画像が一時的に記憶されるバッファメモリの空き領域が小さくなるにつれて前記バーの長さを短くし、前記バッファメモリの空き領域が大きくなるにつれて前記バーの長さを長くする
請求項４に記載の表示制御装置。
【請求項７】
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリのうち、第１バッファメモリの空き領域に応じて前記所定の撮影レートに基づく連写撮影が可能な枚数または時間を演算し、演算結果に応じて前記バーの長さを変更する
請求項６に記載の表示制御装置。
【請求項８】
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリの空き領域に応じて前記所定の撮影レートに基づく連写撮影が可能な枚数または時間を演算し、演算結果に応じて前記バーの長さを変更する
請求項６に記載の表示制御装置。
【請求項９】
前記制御部は、前記連写撮影により取り込まれた画像が一時的に記憶されるバッファメモリの空き領域に応じて、前記バーの長さ以外の表示要素を変更したバーを前記表示部に表示する
請求項４に記載の表示制御装置。
【請求項１０】
前記制御部は、前記バーの長さが変化する度合いが変わった場合に、前記表示要素を変更したバーを前記表示部に表示する
請求項９に記載の表示制御装置。
【請求項１１】
撮像部と、
所定の撮影レートによる撮影開始後に、前記所定の撮影レートよりも遅い撮影レートで撮影されるか否かを表示部に表示する制御を行う制御部と
を有する撮像装置。
【請求項１２】
前記制御部は、前記所定の撮影レートに基づく連写撮影が可能な枚数または時間に応じて、前記表示を変化させる
請求項１１に記載の撮像装置。
【請求項１３】
前記制御部は、前記所定の撮影レートよりも遅い撮影レートに対応する表示箇所を基点とし、所定の範囲内で長さが変更可能なバーを前記表示部に表示する
請求項１１に記載の撮像装置。
【請求項１４】
前記連写撮影により取り込まれた画像が一時的に記憶されるバッファメモリを有し、
前記制御部は、前記バッファメモリの空き領域が小さくなるにつれて前記バーの長さを短くし、前記バッファメモリの空き領域が大きくなるにつれて前記バーの長さを長くする
請求項１３に記載の撮像装置。
【請求項１５】
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリのうち、第１バッファメモリの空き領域に応じて前記所定の撮影レートに基づく連写撮影が可能な枚数または時間を演算し、演算結果に応じて前記バーの長さを変更する
請求項１４に記載の撮像装置。
【請求項１６】
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリの空き領域に応じて前記所定の撮影レートに基づく連写撮影が可能な枚数または時間を演算し、演算結果に応じて前記バーの長さを変更する
請求項１４に記載の撮像装置。
【請求項１７】
前記制御部は、前記バッファメモリの空き領域に応じて、前記バーの長さ以外の表示要素を変更したバーを前記表示部に表示する
請求項１３に記載の撮像装置。
【請求項１８】
前記制御部は、前記バーの長さが変化する度合いが変わった場合に、前記表示要素を変更したバーを前記表示部に表示する
請求項１７に記載の撮像装置。
【請求項１９】
前記バーの表示に関する設定が可能とされている
請求項１３に記載の撮像装置。
【請求項２０】
制御部が、所定の撮影レートによる撮影開始後に、前記所定の撮影レートよりも遅い撮影レートで撮影されるか否かを表示部に表示する制御を行う
表示制御方法。
【発明の詳細な説明】
【技術分野】
【０００１】
本開示は、表示制御装置、撮像装置及び表示制御方法に関する。
【背景技術】
【０００２】
従来から、連続した撮影（以下、連写撮影と適宜、称する）を行うことが可能な撮像装置が知られている（例えば、下記特許文献１を参照のこと）。
【先行技術文献】
【特許文献】
【０００３】
【特許文献１】特開２００８−２１９３１９号公報
【発明の概要】
【発明が解決しようとする課題】
【０００４】
連写の性能は、単位時間当たり（例えば、１秒当たり）に撮影可能なコマ数（枚数）である撮影レートにより規定される。撮影レートは、連写撮影により取り込まれた画像が記憶されるバッファメモリの空き領域（残容量）に応じて低下する場合がある。撮影レートが低下した場合には、決定的なシーンを逃す恐れやユーザが意図する撮影ができなく恐れもあるため、撮影レートが低下するタイミングを事前に報知してバッファメモリの容量の回復をユーザに促すことが望まれる。【０００５】
そこで、本開示は、連写撮影における所定の撮影レートよりも遅い撮影レートで撮影されるか否かをユーザに報知する表示制御装置、撮像装置及び表示制御方法を提供することを目的の一つとする。
【課題を解決するための手段】
【０００６】
本開示は、例えば、
所定の撮影レートによる撮影開始後に、所定の撮影レートよりも遅い撮影レートで撮影されるか否かを表示部に表示する制御を行う制御部を有する
表示制御装置である。【０００７】
また、本開示は、例えば
撮像部と、
所定の撮影レートによる撮影開始後に、所定の撮影レートよりも遅い撮影レートで撮影されるか否かを表示部に表示する制御を行う制御部と
を有する撮像装置である。【０００８】
また、本開示は、例えば
制御部が、所定の撮影レートによる撮影開始後に、所定の撮影レートよりも遅い撮影レートで撮影されるか否かを表示部に表示する制御を行う
表示制御方法である。
【発明の効果】
【０００９】
本開示の少なくとも実施形態によれば、連写撮影における所定の撮影レートよりも遅い撮影レートで撮影されるか否かをユーザに報知することができる。なお、ここに記載された効果は必ずしも限定されるものではなく、本開示中に記載されたいずれの効果であっても良い。また、例示された効果により本開示の内容が限定して解釈されるものではない。
【図面の簡単な説明】
【００１０】
【図１】図１は、本開示の一実施形態に係る撮像装置の概略構成を示す図である。
【図２】図２は、本開示の一実施形態に係る撮像装置の構成例を示すブロック図である。
【図３】図３は、本開示の一実施形態における撮影レート、転送レート及び書込レート、バッファメモリの空き領域等を示す模式図である。
【図４】図４は、所定の時間が経過した後の撮影レート、転送レート及び書込レート、バッファメモリの空き領域等を示す模式図である。
【図５】図５は、所定の時間が経過した後の撮影レート、転送レート及び書込レート、バッファメモリの空き領域等を示す模式図である。
【図６】図６は、第２バッファメモリがフルになった状態を示す模式図である。
【図７】図７は、第２バッファメモリがフルになった状態を示す模式図である。
【図８】図８は、第１バッファメモリがフルになった状態を示す模式図である。
【図９】図９は、第１バッファメモリがフルになり、撮影レートが低下する状態を示す模式図である。
【図１０】図１０は、連写撮影が所定の時間、停止された後の状態を示す模式図である。
【図１１】図１１は、第１バッファメモリが空になるまで連写撮影が停止された後の状態を示す模式図である。
【図１２】図１２は、バーの表示例を説明するための図である。
【図１３】図１３Ａ及び図１３Ｂは、バーの表示に関する設定を行うための画面の一例を説明するための図である。
【図１４】図１４は、本開示の一実施形態に係る撮像装置において行われる処理の流れを示すフローチャートである。
【図１５】図１５は、変形例に係る撮像装置において行われる処理の流れを示すフローチャートである。
【発明を実施するための形態】
【００１１】
以下、本開示の実施形態等について図面を参照しながら説明する。なお、説明は以下の順序で行う。
＜１．一実施形態＞
＜２．変形例＞
以下に説明する実施形態等は本開示の好適な具体例であり、本開示の内容がこれらの実施形態等に限定されるものではない。
【００１２】
＜１．一実施形態＞
［撮像装置の構成例］
始めに、本開示の一実施形態に係る撮像装置の構成例について説明する。図１は、本開示の一実施形態に係る撮像装置１の概略構成を示す断面模式図である。
【００１３】
撮像装置１は、筐体（ボディ）１０、撮影レンズ２２を備える光学撮像系２０、半透過ミラー１１、撮像素子１２Ａ、像面位相差ＡＦセンサ１２Ｂ、専用位相差ＡＦセンサ１３、電子ビューファインダ１４、ディスプレイ１５を備えている。例えば、撮像素子１２Ａと光学撮像系２０とを含む構成により撮像部が構成される。
【００１４】
図１に示されるように、筐体１０に対して光学撮像系２０が設けられている。光学撮像系２０は、例えば交換可能ないわゆるレンズ部であり、鏡筒２１内に撮影レンズ２２、絞り等が設けられている。撮影レンズ２２は、フォーカス駆動系（図示しない）によって駆動され、ＡＦ(Auto Focus)動作が可能とされている。なお、光学撮像系２０は、筐体１０と一体ものとして構成しても良いし、所定のアダプタを介して筐体１０に着脱可能としても良い。
【００１５】
半透過ミラー１１は、筐体１０内において、撮影レンズ２２と筐体１０内の撮像素子１２Ａとの間に設けられている。半透過ミラー１１には、撮影レンズ２２を介して被写体光が入射する。半透過ミラー１１は、撮影レンズ２２を介して入射する被写体光の一部を上方の専用位相差ＡＦセンサ１３の方向に反射させ、また、被写体光の一部を撮像素子１２Ａへと透過させる。なお、半透過ミラー１１の透過度、反射率等は任意に設定することが可能である。
【００１６】
筐体１０内には撮影画像生成用の撮像素子１２Ａが設けられている。撮像素子１２Ａとしては、ＣＣＤ（Charge Coupled Device）、ＣＭＯＳ（Complementary Metal Oxide Semiconductor）などが用いられる。撮像素子１２Ａは、撮影レンズ２２を介して入射する被写体光を光電変換して電荷量に変換し、画像を生成する。画像信号は、ホワイトバランス調整処理、ガンマ補正処理などの所定の信号処理が施されて最終的に画像データとして、撮像装置１内の記憶媒体や撮像装置１に着脱可能とされる可搬型のメモリ等に保存される。
【００１７】
撮像素子１２Ａは、通常の撮像画素である例えば、Ｒ（Red）画素、Ｇ（Green）画素、Ｂ（Blue）画素を有するとともに、位相差焦点検出を行う像面位相差ＡＦセンサ１２Ｂを有している。すなわち、撮像素子１２Ａの一部に像面位相差画素が配置されることにより像面位相差ＡＦセンサ１２Ｂが構成されている。撮像素子１２Ａを構成する各画素は被写体からの入射光を光電変換して電荷量に変換して、画素信号を出力する。
【００１８】
専用位相差ＡＦセンサ１３は、例えば、筐体１０内において半透過ミラー１１の上方に、且つ、撮像素子１２Ａの前方に位置するように設けられている。専用位相差ＡＦセンサ１３は、例えば、位相差検出方式のＡＦ専用モジュールである。撮影レンズ２２により集光された被写体光は半透過ミラー１１で反射することによって専用位相差ＡＦセンサ１３に入射する。専用位相差ＡＦセンサ１３により検出された焦点検出信号は撮像装置１内においてデフォーカス量の算出を行う処理部などに供給される。このように、一実施形態に係る撮像装置１は、専用位相差ＡＦセンサ１３と像面位相差ＡＦセンサ１２Ｂとを用いてＡＦを行う。但し、これに限定されるものではなく、撮像装置１が行うＡＦの方式は、専用位相差ＡＦセンサ１３及び像面位相差ＡＦセンサ１２Ｂの一方を用いたＡＦ方式でも良いし、別の公知のＡＦ方式を用いたものであっても良い。複数のＡＦ方式のハイブリッドによるＡＦ方式を用いたものであっても良い。なお、撮像装置１が専用位相差ＡＦセンサ１３を備えない場合には、像面位相差ＡＦセンサ１２Ｂを用いてＡＦを行う。
【００１９】
筐体１０には電子ビューファインダ（EVF：Electronic View Finder）１４が設けられている。電子ビューファインダ１４は、例えば、液晶ディスプレイ（Liquid Crystal Display（ＬＣＤ））、有機ＥＬ（Electroluminescence：電界発光）ディスプレイなどを備える。電子ビューファインダ１４には、撮像素子１２Ａから取り出された画像信号を信号処理部（図示しない）で処理することにより得られる画像データが供給される。電子ビューファインダ１４は、それらの画像データに対応する画像をリアルタイム画像（スルー画）として表示する。
【００２０】
筐体１０には、ディスプレイ１５が設けられている。ディスプレイ１５は、液晶ディスプレイ、有機ＥＬ等のフラットディスプレイなどである。ディスプレイ１５には、撮像素子１２Ａから取り出された画像信号を信号処理部（図示しない）で処理して得られる画像データが供給され、ディスプレイ１５はそれらをリアルタイム画像（いわゆるスルー画像）として表示する。図１においては、ディスプレイ１５は、筐体の背面側に設けられているが、これに限られず、筐体上面などに設けても良く、可動式や取り外し式としても良い。ディスプレイ１５は筐体１０になくても良く、この場合、撮像装置１に接続されたテレビジョン装置等がディスプレイ１５として機能しても良い。また、ディスプレイ１５には、モードに応じたＡＦが行われるエリア（以下、ＡＦエリアと適宜、称する）がリアルタイム画像に重畳されて表示される。なお、ディスプレイ１５には、リアルタイム画像だけでなく、撮像装置１の各種の設定を行うためのメニュー画面が表示される。
【００２１】
［撮像装置の内部構成例］
次に、図２のブロック図を参照して、撮像装置１の内部構成例（主に信号処理に係る構成例）について説明する。撮像装置１は、上述した光学撮像系２０、専用位相差ＡＦセンサ１３、撮像素子１２Ａ、像面位相差ＡＦセンサ１２Ｂ、ディスプレイ１５の他に、例えば、前処理回路３１、カメラ処理回路３２、制御部３３、グラフィックＩ／Ｆ（Interface）３４、入力部３５、Ｒ／Ｗ（リーダ／ライタ）３６及び記憶媒体３７を備えている。
【００２２】
光学撮像系２０は、被写体からの光を撮像素子１２Ａに集光するための撮影レンズ２２（フォーカスレンズ、ズームレンズなどを含む）、フォーカスレンズを移動させてフォーカス調整を行うレンズ駆動機構２２Ａ、シャッタ機構、アイリス機構などから構成されている。これらは制御部３３からの制御信号に基づいて駆動される。レンズ駆動機構２２Ａは、撮影レンズ２２を制御部３３から供給された制御信号に応じて光軸方向に沿って移動させることにより、ＡＦ動作を実現する。光学撮像系２０を介して得られた被写体の光画像は、撮像デバイスとしての撮像素子１２Ａ上に結像される。
【００２３】
専用位相差ＡＦセンサ１３は、例えば、位相差検出方式のオートフォーカス専用センサである。撮影レンズ２２により集光された被写体光は、半透過ミラー１１で反射されることによって専用位相差ＡＦセンサ１３に入射する。専用位相差ＡＦセンサ１３により検出された焦点検出信号は制御部３３に供給される。
【００２４】
撮像素子１２Ａは、上述したように、通常の撮像画素と位相差検出用画素とを有するものである。像面位相差ＡＦセンサ１２Ｂは、複数の位相差検出用画素からなるオートフォーカス用センサである。像面位相差ＡＦセンサ１２Ｂにより検出された焦点検出信号は制御部３３に供給される。
【００２５】
前処理回路３１は、撮像素子１２Ａから出力された撮像信号に対して、ＣＤＳ（Correlated Double Sampling）処理によりＳ／Ｎ（Signal／Noise）比を良好に保つようにサンプルホールドなどを行う。さらに、ＡＧＣ（Auto Gain Control）処理により利得を制御し、Ａ／Ｄ（Analog/Digital）変換を行ってデジタル画像信号を出力する。
【００２６】
前処理回路３１は、Ａ／Ｄ変換後のデジタル画像信号が一時的に記憶されるバッファメモリ３１０を有している。バッファメモリ３１０は、例えば、ＤＲＡＭ（（Dynamic Random Access Memory））により構成されている。本実施形態では、バッファメモリ３１０は、２つのバッファメモリ（第１バッファメモリ３１０Ａ及び第２バッファメモリ３１０Ｂ）から構成されている。例えば、第１バッファメモリ３１０Ａの容量は、第２バッファメモリ３１０Ｂの容量より小さく設定されている。Ａ／Ｄ変換後のデジタル画像信号が第１バッファメモリ３１０Ａに一時的に記憶された後、第１バッファメモリ３１０Ａから出力されたデジタル画像信号が第２バッファメモリ３１０Ｂに一時的に記憶される。なお、撮像素子１２Ａ、前処理回路３１の回路部及び前処理回路３１のバッファメモリ３１０が、複数の層を有するイメージセンサの異なる層にそれぞれ設けられていても良い。
【００２７】
カメラ処理回路３２は、前処理回路３１から供給される画像信号に対して、ホワイトバランス調整処理や色補正処理、ガンマ補正処理、Ｙ／Ｃ変換処理、ＡＥ（Auto Exposure）処理などの信号処理を施す。
【００２８】
制御部３３は、例えばＣＰＵ(Central Processing Unit)により構成されており、ＲＯＭ(Read Only Memory)３３Ａ及びＲＡＭ(Random Access Memory)３３Ｂを有している。ＲＯＭ３３Ａには、ＣＰＵにより読み込まれ実行されるプログラムなどが記憶されている。ＲＡＭ３３Ｂは、ＣＰＵのワークメモリとして用いられる。ＣＰＵは、ＲＯＭ３３Ａに記憶されたプログラムに従い様々な処理を実行してコマンドの発行を行うことによって撮像装置１全体の制御を行う。
【００２９】
なお、ここまで前処理回路３１がバッファメモリ３１０を含む例を挙げたが、必ずしも前処理回路３１にバッファメモリ３１０がなくてもよい。また第１バッファメモリ３１０Ａと第２バッファメモリ３１０Ｂとが異なる構成要素に含まれてもよい。例えば第１バッファメモリ３１０Ａが撮像素子１２Ａと共にひとつの撮像素子ユニットとして構成されてもよく、第２バッファメモリ３１０Ｂが制御部３３に含まれてもよい。
【００３０】
グラフィックＩ／Ｆ３４は、制御部３３から供給された画像信号から、ディスプレイ１５に表示させるための画像信号を生成して、この信号をディスプレイ１５に供給することにより画像を表示させる。ディスプレイ１５には、撮像中のスルー画像、記憶媒体３７に記録された画像、撮像装置１の各種設定を行うためのメニュー画面などが表示される。
【００３１】
入力部３５は、例えば、電源オン／オフ切り替えのための電源ボタン、撮像画像の記録の開始を指示するためのレリーズボタン、ズーム調整用の操作子、ディスプレイ１５と一体に構成されたタッチスクリーンなどからなる。入力部３５に対して入力がなされると、当該入力に応じた制御信号が生成されて制御部３３に出力される。そして、制御部３３は当該制御信号に対応した演算処理や制御を行う。
【００３２】
Ｒ／Ｗ３６には、撮像により生成された画像データなどを記録する記憶媒体３７が接続されるインターフェースである。Ｒ／Ｗ３６は、制御部３３から供給されたデータを記憶媒体３７に書き込み、また、記憶媒体３７から読み出したデータを制御部３３に出力する。記憶媒体３７は、例えば、ハードディスク、メモリースティック（ソニー株式会社の登録商標）、ＳＤメモリーカードなどの大容量記憶媒体である。画像は例えばＪＰＥＧなどの規格に基づいて圧縮された状態で保存される。また、保存された画像に関する情報、撮像日時などの付加情報を含むＥＸＩＦ（Exchangeable Image File Format）データもその画像に対応付けられて保存される。
【００３３】
[撮像装置の基本的な動作例]
ここで、上述した撮像装置１における基本的な動作について説明する。画像の撮像前には、撮像素子１２Ａによって受光されて光電変換された信号が、順次、前処理回路３１に供給される。前処理回路３１では、入力信号に対してＣＤＳ処理、ＡＧＣ処理などが施され、さらに画像信号に変換される。
【００３４】
カメラ処理回路３２は、前処理回路３１から供給された画像信号を画質補正処理し、スルー画像の信号として、制御部３３を介してグラフィックＩ／Ｆ３４に供給する。これにより、スルー画像がディスプレイ１５に表示される。ユーザはディスプレイ１５に表示されるスルー画像を見て画角合わせを行うことができる。
【００３５】
この状態で、入力部３５のシャッタボタンが押下されると、制御部３３は、光学撮像系２０に制御信号を出力して、光学撮像系２０を構成するシャッタを動作させる。これにより撮像素子１２Ａからは、１フレーム分の画像信号が出力される。
【００３６】
カメラ処理回路３２は、撮像素子１２Ａから前処理回路３１を介して供給された１フレーム分の画像信号に画質補正処理を施し、処理後の画像信号を制御部３３に供給する。制御部３３は、入力された画像信号を圧縮符号化し、生成した符号化データを、Ｒ／Ｗ３６に供給する。これにより、撮像された静止画像のデータファイルがＲ／Ｗ３６を介して記憶媒体３７に記憶される。なお、動画の撮影は、動画撮影の指示に応じて上述した処理がリアルタイムに行われる。動画撮影時にシャッタボタンを押すことにより、動画撮影時に静止画を撮影することも可能である。
【００３７】
一方、記憶媒体３７に記憶された画像ファイルを再生する場合には、制御部３３は、入力部３５からの操作入力に応じて、選択された静止画像ファイルを記憶媒体３７からＲ／Ｗ３６を介して読み込む。読み込まれた画像ファイルに対して伸張復号化処理が施される。そして、復号化された画像信号が制御部３３を介してグラフィックＩ／Ｆ３４に供給される。これにより、記憶媒体３７に記憶された静止画像がディスプレイ１５に表示される。
【００３８】
［撮像装置において考慮すべき問題］
本実施形態に係る撮像装置１は、撮影のモードとして時間的に連続して撮影を行う連写モードが設定可能とされている。撮像装置１が連写モードで動作する場合に考慮しなければならない問題について、図３〜図９を参照して説明する。なお、図３〜図９では、撮像素子１２Ａと、第１バッファメモリ３１０Ａと、第２バッファメモリ３１０Ｂと、記憶媒体３７とが模式的に示されている。
【００３９】
図３は、撮像装置１で連写撮影が行われる前の状態を示している。この状態では、第１、第２バッファメモリ３１０Ａ、３１０Ｂは空（画像が記憶されていない）である。本実施形態では、撮像装置１の連写撮影時の撮影レートを２０ｆｐｓ（Frame per Second）とし、第１バッファメモリ３１０Ａから第２バッファメモリ３１０Ｂへの画像信号の転送の速度（以下、転送レートと適宜、称する）を１７ｆｐｓとし、第２バッファメモリ３１０Ｂから読み出された画像に信号処理が施され、Ｒ／Ｗ３６により記憶媒体３７に書き込まれる速度（以下、書込レートと適宜、称する）を５ｆｐｓとして説明する。なお、連写撮影時の撮影レートとは、例えば、撮像装置１が可能な連写撮影の撮影レートにおいて最速の撮影レート（動作レート）である。この撮影レートは、例えば、同一の連写撮影時では変化しないものの、異なる連写撮影の機会では、メニュー画面等を用いてハイ、ローのように設定可能とされている。
【００４０】
図４及び図５は、連写撮影が始まってから３秒後の状態（撮影枚数として２０×３で６０枚）を示している。第１バッファメモリ３１０Ａには、撮影レートと転送レートの差（（２０−１７）ｆｐｓ）である３ｆｐｓで画像が記憶されていく。したがって、３秒後には、第１バッファメモリ３１０Ａには９枚の画像が記憶（蓄積）される。第２バッファメモリ３１０Ｂには、撮影レートと転送レートの差（（１７−５）ｆｐｓ）である１２ｆｐｓで画像が記憶されていく。したがって、３秒後には、第２バッファメモリ３１０Ｂには３６枚の画像が記憶される。記憶媒体３７には、５ｆｐｓで画像が記憶されていくことから、３秒後には、記憶媒体３７には１５枚の画像が記憶される。
【００４１】
図６は、Ｘ秒後、第２バッファメモリ３１０Ｂが空き領域がなくなりフルとなった状態を示している。Ｘ秒後には、第１バッファメモリ３１０Ａには、３Ｘ（３×Ｘ）枚の画像が記憶される。第２バッファメモリ３１０Ｂには、１２Ｘ（１２×Ｘ）枚の画像が記憶される。記憶媒体３７には、５Ｘ（５×Ｘ）枚の画像が記憶される。
【００４２】
図７に示すように、Ｘの値は（第２バッファメモリのバッファ量（容量）／１２ｆｐｓ）で求めることができる。第２バッファメモリ３１０Ｂがフルなった後は、第２バッファメモリ３１０Ｂからは５ｆｐｓでしか画像が出力されないため、第２バッファメモリ３１０Ｂが受け付けられる画像の入力は５ｆｐｓになる。すなわち、転送レートが５ｆｐｓとなる。したがって、第２バッファメモリ３１０Ｂがフルになった後は、第１バッファメモリ３１０Ａには、１５ｆｐｓ（（２０−５）ｆｐｓ）で画像が記憶されていくことになる。
【００４３】
図８及び図９は、第１バッファメモリ３１０Ａがフルになる（Ｘ＋Ｙ）秒後の状態を示している。（Ｘ＋Ｙ）秒後には、第１バッファメモリ３１０Ａには、（３Ｘ＋１５Ｙ）枚の画像が記憶される。これ以降は、記憶媒体３７への書込レートである５ｆｐｓでの撮影が行われる。すなわち、第１バッファメモリ３１０Ａがフルになる時点で、システムが律速するので（ボトルネックが生じるので）、連写撮影の撮影レートを維持できずに撮影レートが２０ｆｐｓから５ｆｐｓに落ちてしまう。なお、撮影レートが低下するものの、連写撮影そのものができなくなるわけではない。
【００４４】
ユーザは、シャッタ音の変化等により連写撮影時の撮影レートが低下したことに気付く。その場合は、ユーザは、連写撮影を一時的に停止することにより第１バッファメモリ３１０Ａの空き領域を回復させる。図１０は、（Ｘ＋Ｙ）秒後からＺａ秒間、ユーザが連写撮影を停止した状態を示している。連写撮影を停止している間は、書込レートに対応する枚数、すなわち、５Ｚａ枚分、第１バッファメモリ３１０Ａの空き領域が回復する。なお、第１バッファメモリ３１０Ａの空き領域が回復する場合には、枚数に対して−（マイナス）の符号を付しており、図１０では−５Ｚａとして示している。図１１は、（Ｘ＋Ｙ）秒後から第１バッファメモリ３１０Ａが空になるまで、Ｚｂ秒間、連写撮影を停止した状態を示している。すなわち、図１１は、−５Ｚｂに対応する画像の枚数と（３Ｘ＋１５Ｙ）に対応する画像の枚数とが等しくなる状態を示している。例えば図１１に示す状態から、撮像装置１の撮影レート（本例では、２０ｆｐｓ）での連写撮影が可能となる。
【００４５】
ここで、撮影レート＞転送レートの関係が成り立つ場合に、連写撮影を開始してから撮影レートを維持できなくなる（撮影レートが低下する）までの時間をＴとする。
また、第２バッファメモリ３１０Ｂがフルになるまでの時間をＴ１とすると、Ｔ１は、［第２バッファメモリ３１０Ｂの残容量（枚数に応じた容量）］／（［転送レート］−［書込レート］）により表すことができる。
また、第１バッファメモリ３１０Ａがフルになるまでの時間をＴ２とすると、Ｔ２は、［第１バッファメモリ３１０Ａの残容量（枚数に応じた容量）］／（［撮影レート］−［転送レート］）により表すことができる。
【００４６】
ここで、Ｔ１≦Ｔ２の場合は、Ｔ＝Ｔ２が成り立つ。
【００４７】
また、Ｔ１経過後、第１バッファメモリ３１０Ａがフルになるまでの時間をＴ３とすると、Ｔ３は、（［第１バッファメモリ３１０Ａの残容量］−（［撮影レート］−［転送レート］）＊Ｔ１）／（［撮影レート］−［書込レート］）で表すことができる。ここで、Ｔ１＜Ｔ２の場合は、Ｔ＝Ｔ１＋Ｔ３が成り立つ。
【００４８】
転送レート＞撮影レート＞書込レートが成り立つ場合には、第１、第２バッファメモリ３１０Ａ、３１０Ｂがフルになった後に撮影レートが低下する。また、書込レート≧撮影レートの場合には、記憶媒体３８がフルになるまで撮影レートを維持した連写撮影が可能になる。
【００４９】
以上説明したように、連写撮影を続けていくと一定期間経過後に撮影レートを維持できなくなる場合が生じる。シャッタ音の変化により撮影レートの低下を認識したユーザは、連写撮影を止めることによりバッファメモリの容量を回復させ、その後に連写撮影を再度行うことが可能な状態にする。しかしながら、連写撮影を止めている間に決定的なシーンが生じた場合などは、撮影機会を損失してしまう恐れがある。そこで、本開示の一実施形態では、撮影開始後に、所定の撮影レートよりも遅い撮影レートで撮影されるか否かを表示部に表示することにより、ユーザが連写撮影を適切に開始及び停止することを可能とし、撮影機会の損失が生じてしまうことを防止できるようにした。もちろん、上述した撮影レート等は一例であり、シャッタスピードや絞り値、記憶媒体３７が対応する規格、画像の圧縮度等に応じて異なる値となる場合があるものの、いずれにしても上述した問題を考慮すべき必要がある。以上の点に鑑みてなされた一実施形態についてさらに詳細に説明する。
【００５０】
［バーの表示例］
本開示の一実施形態では、所定の撮影レート（例えば、最速の撮影レート）による連写撮影開始後に、所定の撮影レートよりも遅い撮影レートで撮影されるか否かを棒状のバーによって表示する。図１２は、ディスプレイ１５に表示されるバーの一例（バーＢＡ）を説明するための図である。ディスプレイ１５には、雲を含む空や草等の被写体が表示されている。ディスプレイ１５の上側には、電池の残容量や撮影品質に関する設定状態等を含む撮影情報４１が左右方向に沿って表示されている。ディスプレイ１５の下側には、シャッタスピードやＦ値、ＩＳＯ(International Organization for Standardization)感度等を含む撮影情報４２が左右方向に沿って表示されている。
【００５１】
例えば、被写体が写る領域の左側の端に、上下方向に延びる白いバーＢＡが表示されている。バーＢＡは、例えば、被写体をできるだけ隠さないように細い線により表示されている。バーＢＡは、上下方向にその長さが可変とされている。バーＢＡは、白色でも良いし、着色されて表示されても良い。
【００５２】
バーＢＡの下側端部には「ＳＬＯＷ」と表示されている。バーＢＡの長さが０になる、すなわち、「ＳＬＯＷ」までバーＢＡが短くなると、撮影レートが、連写撮影における撮影レート（上述した例における２０ｆｐｓ）よりも遅くなる。すなわち、バーＢＡが表示されている場合は、上述した例における２０ｆｐｓに基づく連写撮影が行われ、バーＢＡが短くなり表示されなくなると、２０ｆｐｓよりも遅い撮影レート（例えば、５ｆｐｓ）に基づく連写撮影が行われることになる。
【００５３】
バーＢＡのディスプレイ１５への表示は、制御部３３による制御に応じてグラフィックＩ／Ｆ３４により行われる。バーＢＡの表示の変化は、例えば、第１バッファメモリ３１０Ａの空き領域に対応付けられている。具体的には、制御部３３は、第１バッファメモリ３１０Ａの空き領域に応じて所定の撮影レートに基づく連写撮影が可能な枚数または時間を演算により求め、演算結果に応じてバーＢＡの長さを変化させる。制御部３３は、例えば、第１バッファメモリ３１０Ａの空き領域が小さくなると撮影レートを維持した連写撮影が可能な枚数または時間が小さくなることから、バーＢＡの長さを短くするようにグラフィックＩ／Ｆ３４に指示する。反対に連写撮影が停止され第１バッファメモリ３１０Ａの空き領域が回復すると（大きくなると）、撮影レートを維持した連写撮影が可能な枚数または時間が大きくなることから制御部３３は、バーＢＡの長さを長くするようにグラフィックＩ／Ｆ３４に指示する。これによりバーＢＡの長さが伸縮する。
【００５４】
第１バッファメモリ３１０Ａの空き領域がなくなると撮影レートが遅くなるので、バーＢＡの長さはＳＬＯＷ表示付近の下側端部まで短くなり０になる。バーＢＡの長さが０ということは、バーＢＡが表示されずにＳＬＯＷのみの表示となることと等価である。バーＢＡの長さが０になった場合にＳＬＯＷを点滅等させて表示態様を変化させても良い。このように、バーＢＡは、例えば下側の端部を基点として所定の範囲内でその長さが変化するものである。端部は、連写撮影の撮影レートよりも遅い撮影レートに対応する表示箇所である。
【００５５】
バーＢＡは、例えば連写撮影の開始後にディスプレイ１５に表示される。これにより、ユーザは、撮影レートが遅くなるまで、換言すれば、連写撮影開始時の撮影レートを維持できなくなるまでのタイミングを知ることができるので、必要がなければ連写撮影を停止して第１バッファメモリ３１０Ａの容量を回復させることができる。これにより、重要なシーンにおいて所定の撮影レートによる連写撮影が行えない事態が生じてしまうことを極力、回避することができる。
【００５６】
［バーの表示に関する設定］
本実施形態では、バーＢＡの表示に関する設定を行うことが可能とされている。図１３Ａ及び図１３Ｂは、バーＢＡの表示に関する設定を行うための画面例を示している。図１３Ａは、例えば、ディスプレイ１５に表示されるメニュー画面のうち、表示等に関する設定を行うための画面５１である。画面５１に表示されている選択可能な項目のうちバーＢＡの表示に対応する「連写可能撮影枚数表示」をユーザが選択すると、図１３Ｂに示す画面に遷移する。「連写可能撮影枚数表示」が選択されると、「連写可能撮影枚数表示」に関する設定を行うためのポップアップ画面５２がディスプレイ１５に表示される。
【００５７】
ポップアップ画面５２には３つのパターンが表示され、いずれかのパターンが設定可能とされている。３つの表示パターンはそれぞれ、「常に表示する」、「撮影中のみ表示する」及び「表示しない」のパターンである。「常に表示する」が選択されると、ディスプレイ１５にはバーＢＡが常に表示される。「撮影中のみ表示する」が選択されると、連写撮影時のみディスプレイ１５にバーＢＡが表示される。「表示しない」が選択されると、連写撮影時を含め、バーＢＡが表示されなくなる。このように、バーＢＡの表示に関する設定を行うことも可能である。
【００５８】
［処理の流れ］
図１４は、撮像装置１において行われるバーＢＡの表示制御の処理の流れを示すフローチャートである。特に断らない限り、以下に説明する処理は、制御部３３の制御に応じてグラフィックＩ／Ｆ３４により行われる。また、撮影レート、転送レート及び書込レートは、図３を使用して説明したレートを例にして説明する。
【００５９】
ステップＳＴ１１では、撮像装置１に設定されている撮影モードが連写撮影モードであるか否かが判断される。撮像装置１に設定されている撮影モードが連写撮影モードでなければ処理がステップＳＴ１１に戻り、ステップＳＴ１１の処理が繰り返される。撮像装置１に設定されている撮影モードが連写撮影モードであれば連写撮影が開始された後、処理がステップＳＴ１２に進む。
【００６０】
ステップＳＴ１２では、バーＢＡを表示する設定になっているか否かが判断される。ここで、例えば、上述した設定例のうち「表示しない」が設定されている場合には、処理がステップＳＴ１３に進む。ステップＳＴ１３では、バーＢＡを表示しない制御が行われる。また、上述した設定例のうち「常に表示」または「撮影中のみ表示」が設定されている場合には、処理がステップＳＴ１４に進む。
【００６１】
ステップＳＴ１４では、制御部３３が、第１バッファメモリ３１０Ａの空き領域に応じて所定の撮影レート（本例では２０ｆｐｓ）に基づく連写撮影が可能な枚数または時間を演算により求め、演算結果に応じてバーＢＡの長さを適宜、変化させる。そして、処理がステップＳＴ１５に進む。
【００６２】
ステップＳＴ１５では、第１バッファメモリ３１０Ａがフル（空き領域が０）であるか否かが判断される。第１バッファメモリ３１０Ａがフルでない場合は、処理がステップＳＴ１５に戻り、ステップＳＴ１５の処理が繰り返される。第１バッファメモリ３１０Ａがフルになった場合は、処理がステップＳＴ１６に進む。
【００６３】
ステップＳＴ１６では、第１バッファメモリ３１０Ａがフルになり撮影レートが遅くなることから、バーＢＡの長さを０にする制御が行われる。そして、処理が終了する。なお、図１４では示していないが、連写撮影が停止されると第１バッファメモリ３１０Ａの空き領域が大きくなり、バーＢＡの長さを長くする制御が行われる。
【００６４】
＜２．変形例＞
以上、本開示の一実施形態について具体的に説明したが、本開示の内容は上述した一実施形態に限定されるものではなく、本開示の技術的思想に基づく各種の変形が可能である。
【００６５】
上述した一実施形態では、バーＢＡの表示の変化が第１バッファメモリ３１０Ａの空き領域に対応付けられている例について説明したが、バーＢＡの表示の変化が第１、第２バッファメモリ３１０Ａ、３１０Ｂの空き領域に対応付けられていても良い。図１５は、バーＢＡの表示の変化が第１、第２バッファメモリ３１０Ａ、３１０Ｂの空き領域に対応付けられている場合の処理の流れを示すフローチャートである。なお、図１４に示すフローチャートで説明した処理と同一の処理については、重複した説明を適宜、省略する。
【００６６】
図１５のフローチャートのステップＳＴ１２において、バーＢＡを表示する設定になっている場合は、処理がステップＳＴ２１に進む。ステップＳＴ２１では、制御部３３が、第２バッファメモリ３１０Ｂの空き領域に応じて所定の撮影レートに基づく連写撮影が可能な枚数または時間を演算により求め、演算結果に応じてバーＢＡの長さを変化させる。そして、処理がステップＳＴ２２に進む。
【００６７】
ステップＳＴ２２では、第２バッファメモリ３１０Ｂがフル（空き領域が０）であるか否かが判断される。第２バッファメモリ３１０Ｂがフルでない場合は、処理がステップＳＴ２２に戻り、ステップＳＴ２２の処理が繰り返される。第２バッファメモリ３１０Ｂがフルになった場合は、処理がステップＳＴ２３に進む。
【００６８】
第２バッファメモリ３１０Ｂがフルになった場合は、第１バッファメモリ３１０Ａの空き領域がより速く無くなっていくので（図７参照）、バーＢＡが短くなる度合いが大きくなる。そこで、ステップＳＴ２３は、バーＢＡの長さが変化する度合いが変わる時点でバーＢＡの長さ以外の表示要素（色や太さ、表示態様）を変更し、ユーザに注意を促す。例えば、バーＢＡの色を変更したり、バーＢＡを点滅させたりして、バーＢＡが目立つようにする。これにより、ユーザは、バッファメモリ３１０の空き領域が小さくなっている段階を認識することができ、撮影レートが遅くなる可能性が高くなることを認識することができる。以降の処理であるステップＳＴ１４〜ステップＳＴ１６と同様の処理であるので、重複した説明を省略する。
【００６９】
上述した一実施形態では、バッファメモリ３１０が２つのバッファメモリを有する構成例について説明したが、これに限定されるものではなく、１つのバッファメモリでも良いし、バッファメモリ３１０が３つのバッファメモリを有する構成であっても良い。
【００７０】
バーＢＡは上下方向ではなく左右方向に伸縮するものであっても良い。所定の撮影レートよりも遅い撮影レートで撮影されるか否かは、バーＢＡ以外で表示されても良い。例えば、所定に撮影レートに基づく撮影が可能な時間や枚数を表示するようにしても良い。しかしながら、連写撮影時にユーザは被写体に注目していることから、所定の撮影レートよりも遅い撮影レートで撮影されるか否かを直感的に認識できる表示であることが好ましい。また、所定の撮影レートよりも遅い撮影レートで撮影されるか否かを表示ではなく、警告音や撮像装置１の振動によりユーザに報知しても良いし、これらと表示を組み合わせて報知しても良い。
【００７１】
上述した実施形態における撮像装置は、顕微鏡等の医療用の機器やスマートフォン、コンピュータ装置、ゲーム機器、ロボット、防犯カメラ、移動体（車両、電車、飛行機、ヘリコプター、小型飛行体、工事用車両、農業用車両等）に組み込まれていても良い。
【００７２】
本開示は、制御部３３を有する表示制御装置（例えば、１チップのマイクロコンピュータ）により実現することも可能であるし、複数の装置からなる撮像システムとして実現することも可能である他、方法、プログラム等により実現することもできる。例えば、一実施形態で説明した制御を行うプログラムをダウンロード可能とし、一実施形態で説明した制御機能を有しない撮像装置（例えば、スマートフォンに備えられる撮像装置）が当該プログラムをダウンロードしてインストールすることにより、当該撮像装置において一実施形態で説明した制御を行うことが可能となる。
【００７３】
また、本開示の撮像装置と、スマートフォンやタブレット型のコンピュータ等の外部機器とを通信可能とし、当該外部機器により撮像装置を操作できるようにしてもよい。外部機器が有する表示部に、一実施形態で説明したＵＩが表示されるようにしてもよい。外部機器の表示部が入力操作を受付可能なタッチパネルであってもよい。外部機器の表示部に表示されるシャッタボタンに対応するアイコンや外部機器に設けられる物理的なボタンが操作されることにより、撮像装置において一実施形態で説明したような連写撮影が行われるようにしてもよい。またこれらのシャッタボタン以外に、タッチパネルをタッチすることで、撮影が行われるようにしてもよい。また、その設定は、ユーザにより設定されるようにすることもできる。さらに、タッチしている間（画面の長押し）は、連写モードとされ、一実施形態で説明したような連写撮影が行われるようにしてもよい。
【００７４】
上述した一実施形態では静止画の連写撮影を例にして説明したが、本開示に係る技術は、動画に対しても適用することができる。例えば、ハイスピード撮影（例えば、１２０ｆｐｓ）による動画撮影が行われる際に、ハイスピード撮影を行うことが可能な時間等がバー等により表示部に表示されるようにしてもよい。
【００７５】
本開示は、以下の構成も採ることができる。
（１）
所定の撮影レートによる撮影開始後に、前記所定の撮影レートよりも遅い撮影レートで撮影されるか否かを表示部に表示する制御を行う制御部を有する
表示制御装置。
（２）
前記制御部は、前記所定の撮影レートに基づく連写撮影が可能な枚数または時間に応じて、前記表示を変化させる
（１）に記載の表示制御装置。
（３）
前記制御部は、前記所定の撮影レートよりも遅い撮影レートに対応する表示箇所を基点とし、所定の範囲内で長さが変更可能なバーを前記表示部に表示する
（１）または（２）に記載の表示制御装置。
（４）
前記制御部は、前記所定の撮影レートに基づく連写撮影が可能な枚数または時間に応じて、前記バーの長さを変更する
（３）に記載の表示制御装置。
（５）
前記制御部は、前記所定の撮影レートに基づく連写撮影が可能な枚数または時間が小さくなるにつれて前記バーの長さを短くし、前記所定の撮影レートに基づく連写撮影が可能な枚数または時間が大きくなるにつれて前記バーの長さを長くする
（４）に記載の表示制御装置。
（６）
前記制御部は、前記連写撮影により取り込まれた画像が一時的に記憶されるバッファメモリの空き領域が小さくなるにつれて前記バーの長さを短くし、前記バッファメモリの空き領域が大きくなるにつれて前記バーの長さを長くする
（４）または（５）に記載の表示制御装置。
（７）
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリのうち、第１バッファメモリの空き領域に応じて前記所定の撮影レートに基づく連写撮影が可能な枚数または時間を演算し、演算結果に応じて前記バーの長さを変更する
（６）に記載の表示制御装置。
（８）
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリの空き領域に応じて前記所定の撮影レートに基づく連写撮影が可能な枚数または時間を演算し、演算結果に応じて前記バーの長さを変更する
（６）に記載の表示制御装置。
（９）
前記制御部は、前記連写撮影により取り込まれた画像が一時的に記憶されるバッファメモリの空き領域に応じて、前記バーの長さ以外の表示要素を変更したバーを前記表示部に表示する
（４）〜（８）の何れかに記載の表示制御装置。
（１０）
前記制御部は、前記バーの長さが変化する度合いが変わった場合に、前記表示要素を変更したバーを前記表示部に表示する
（９）に記載の表示制御装置。
（１１）
撮像部と、
所定の撮影レートによる撮影開始後に、前記所定の撮影レートよりも遅い撮影レートで撮影されるか否かを表示部に表示する制御を行う制御部と
を有する撮像装置。
（１２）
前記制御部は、前記所定の撮影レートに基づく連写撮影が可能な枚数または時間に応じて、前記表示を変化させる
（１１）に記載の撮像装置。
（１３）
前記制御部は、前記所定の撮影レートよりも遅い撮影レートに対応する表示箇所を基点とし、所定の範囲内で長さが変更可能なバーを前記表示部に表示する
（１１）または（１２）に記載の撮像装置。
（１４）
前記連写撮影により取り込まれた画像が一時的に記憶されるバッファメモリを有し、
前記制御部は、前記バッファメモリの空き領域が小さくなるにつれて前記バーの長さを短くし、前記バッファメモリの空き領域が大きくなるにつれて前記バーの長さを長くする
（１３）に記載の撮像装置。
（１５）
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリのうち、第１バッファメモリの空き領域に応じて前記所定の撮影レートに基づく連写撮影が可能な枚数または時間を演算し、演算結果に応じて前記バーの長さを変更する
（１４）に記載の撮像装置。
（１６）
前記バッファメモリは、前記連写撮影により取り込まれた画像が一時的に記憶される第１バッファメモリと、前記第１バッファメモリから出力された前記画像が一時的に記憶される第２バッファメモリとを有し、
前記制御部は、前記第１バッファメモリ及び前記第２バッファメモリの空き領域に応じて前記所定の撮影レートに基づく連写撮影が可能な枚数または時間を演算し、演算結果に応じて前記バーの長さを変更する
（１４）に記載の撮像装置。
（１７）
前記制御部は、前記バッファメモリの空き領域に応じて、前記バーの長さ以外の表示要素を変更したバーを前記表示部に表示する
（１３）〜（１６）の何れかに記載の撮像装置。
（１８）
前記制御部は、前記バーの長さが変化する度合いが変わった場合に、前記表示要素を変更したバーを前記表示部に表示する
（１７）に記載の撮像装置。
（１９）
前記バーの表示に関する設定が可能とされている
（１３）〜（１８）の何れかに記載の撮像装置。
（２０）
制御部が、所定の撮影レートによる撮影開始後に、前記所定の撮影レートよりも遅い撮影レートで撮影されるか否かを表示部に表示する制御を行う
表示制御方法。
【符号の説明】
【００７６】
１・・・撮像装置、
１２Ａ・・・撮像素子
２０・・・光学撮像系
３３・・・制御部
３４・・・グラフィックＩ／Ｆ
３１０・・・バッファメモリ
３１０Ａ・・・第１バッファメモリ
３１０Ｂ・・・第２バッファメモリ
ＢＡ・・・バー
【図１】
2018193698.tif 000003
【図２】
2018193698.tif 000004
【図３】
2018193698.tif 000005
【図４】
2018193698.tif 000006
【図５】
2018193698.tif 000007
【図６】
2018193698.tif 000008
【図７】
2018193698.tif 000009
【図８】
2018193698.tif 000010
【図９】
2018193698.tif 000011
【図１０】
2018193698.tif 000012
【図１１】
2018193698.tif 000013
【図１２】
2018193698.tif 000014
【図１３】
2018193698.tif 000015
【図１４】
2018193698.tif 000016
【図１５】
2018193698.tif 000017
【国際調査報告】
2018193698.tif 000018
2018193698.tif 000019
2018193698.tif 000020
2018193698.tif 000021